(57)【要約】【課題】遮音性を向上させることができる引き戸を提供する。【解決手段】構造物２の開口部２０をスライドにより開閉する引き戸１である。引き戸１は、引き戸本体１０と、引き戸本体１０に設けられた隙間閉鎖手段４とを備えている。隙間閉鎖手段４は、引き戸本体１０の閉鎖時において、引き戸本体１０の上辺部１１または戸首と構造物２の開口部２０を形成する形成面との間における上側隙間９１を低減または閉鎖する遮音部材４０と、引き戸本体１０の閉鎖に伴い上側隙間９１を低減または閉鎖させる方向に遮音部材４０を移動させる作動部４５とをもつ。【選択図】図２
2007314994.tif 000002
【特許請求の範囲】
【請求項１】
構造物の開口部をスライドにより開閉する引き戸において、
前記引き戸は、引き戸本体と、前記引き戸本体に設けられた隙間閉鎖手段とを備えており、
前記隙間閉鎖手段は、
前記引き戸本体の閉鎖時において、引き戸本体の上辺部または戸首と前記構造物の前記開口部を形成する形成面との間における上側隙間を低減または閉鎖する遮音部材と、前記引き戸本体の閉鎖に伴い前記上側隙間を低減または閉鎖させる方向に前記遮音部材を移動させる作動部とをもつことを特徴とする引き戸。
【請求項２】
請求項１において、前記戸首は、前記引き戸本体の前記上辺部において上方に突出すると共にスライド方向に沿って延設されており、
前記構造物の前記開口部は、前記引き戸本体の前記戸首を嵌め込むと共にスライド方向に沿って延設された戸首嵌込溝をもち、
前記隙間閉鎖手段は、前記戸首の少なくとも一部を形成すると共に前記遮音部材を保持する基体をもつことを特徴とする引き戸。
【請求項３】
請求項１または２において、前記作動部は、前記引き戸本体が開放されるに伴い前記上側隙間を形成する方向に前記遮音部材を付勢するバネ部材と、前記引き戸本体が閉鎖されるに伴い前記上側隙間を低減または閉鎖させる方向に前記遮音部材を作動させる作動体とを備えていることを特徴とする引き戸。
【請求項４】
請求項１〜３のうちのいずれか一項において、前記引き戸本体は、第１空間に対面する第１表面と、第２空間に対面すると共に前記第１表面に背向する第２表面とをもち、
前記引き戸本体の厚み方向に沿った断面で、前記引き戸本体の上辺部において前記遮音部材よりも前記第１表面側に形成された第１上面開口と、前記上辺部において前記遮音部材よりも前記第２表面側に形成された第２上面開口と、前記第１上面開口および前記第２上面開口を連通させることにより前記第１空間と前記第２空間とを連通させる上側連通路とをもつことを特徴とする引き戸。
【請求項５】
請求項１〜３のうちのいずれか一項において、前記引き戸本体は、第１空間に対面する第１表面と、第２空間に対面すると共に前記第１表面に背向する第２表面とをもち、
前記引き戸本体の厚み方向に沿った断面で、前記引き戸本体の上辺部において前記遮音部材よりも前記第１表面側および前記第２表面側のうちのいずれか一方側に形成された上面開口と、前記引き戸本体のうち前記第１表面側および第２表面側のいずれか他方側に形成された表面開口と、前記上面開口および前記表面開口を連通させることにより前記第１空間と前記第２空間とを連通させる上側連通路とをもつことを特徴とする引き戸。
【請求項６】
請求項１〜５のうちのいずれか一項において、前記隙間閉鎖手段は、更に、前記引き戸本体の閉鎖時において、前記引き戸本体の下辺部と前記構造物の前記開口部を形成する形成面との間における下側隙間を低減または閉鎖する遮音部材と、前記引き戸本体の閉鎖に伴い前記下側隙間を低減または閉鎖させる方向に前記遮音部材を移動させる作動部とをもつことを特徴とする引き戸。
【請求項７】
請求項６において、前記引き戸本体の厚み方向に沿った断面で、前記引き戸本体の下辺部において前記遮音部材よりも前記第１表面側および前記第２表面側のうちのいずれか一方側に形成された下面開口と、前記引き戸本体のうち前記第１表面側および第２表面側のいずれか他方側に形成された表面開口と、前記下面開口および前記表面開口を連通させることにより前記第１空間と前記第２空間とを連通させる下側連通路とをもつことを特徴とする引き戸。
【発明の詳細な説明】
【技術分野】
【０００１】
本発明は遮音性を高めた引き戸に関する。
【背景技術】
【０００２】
近年、引き戸では、遮音性を更に高めることが要請されつつある。そこで、特許文献１には、引き戸本体の底面側に可動式の閉鎖部材を設け、引き戸本体を閉鎖させるとき、閉鎖部材を可動させて引き戸本体の底面と床面との間における隙間を閉鎖して遮音性を高める引き戸が開示されている。このものでは、引き戸本体の閉鎖時における遮音性が高まる。
【０００３】
また、近年（２００３年７月）、ホルムアルデヒド等の有害物質による室内におけるシックハウス症候群に対応するため建築基準法が改正され、換気設備による室内の換気性を確保すること、あるいは、ドアにおいて所定の有効開口面積を確保すること（非特許文献１参照）が要請されている。但し、通常の引き戸については、その周囲に充分な隙間があるため、換気性は充分であるが、遮音性を高めた引き戸については、換気性が充分ではない場合が多いため、換気性を充分に確保すること（所定の有効開口面積を確保すること）が好ましい。
【特許文献１】実公平７−４８９４４号公報
【非特許文献１】国土交通省住宅局建築指導課、国土交通省住宅局住宅生産課、国土交通省国土技術政策総合研究所、独立行政法人建築研究所、日本建築行政会議、シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記したように特許文献１に係る引き戸によれば、遮音性は対策されているものの、必ずしも充分ではない。また、特許文献１に係る開閉する引き戸本体においても換気性を向上させるべく有効開口面積を増加させる構造を採用すると、換気性能が高くなるものの引き戸本体の遮音性が低減されるため、遮音性を更に高めることが要請されている。
【０００５】
本発明は上記した実情に鑑みてなされたものであり、遮音性を高めることができる引き戸を提供することを課題とするにある。
【課題を解決するための手段】
【０００６】
（１）様相１に係る引き戸は、構造物の開口部をスライドにより開閉する引き戸において、前記引き戸は、引き戸本体と、前記引き戸本体に設けられた隙間閉鎖手段とを備えており、前記隙間閉鎖手段は、前記引き戸本体の閉鎖時において、引き戸本体の上辺部または戸首と構造物の開口部を形成する形成面との間における上側隙間を低減または閉鎖する遮音部材と、前記引き戸本体の閉鎖に伴い前記上側隙間を低減または閉鎖させる方向に前記遮音部材を移動させる作動部とをもつことを特徴とする。
【０００７】
この場合、引き戸本体の閉鎖時において、引き戸本体の上側隙間は遮音部材で低減または閉鎖されるため、引き戸本体の上側隙間における遮音性を高めることができる。
【０００８】
（２）様相２に係る引き戸は、様相１において、前記戸首は、前記引き戸本体の上辺部において上方に突出すると共にスライド方向に沿って延設されており、前記構造物の前記開口部は、前記引き戸本体の前記戸首を嵌め込むと共にスライド方向に沿って延設された戸首嵌込溝をもち、前記隙間閉鎖手段は、前記戸首の少なくとも一部を形成すると共に前記遮音部材を保持する基体をもつことを特徴とする。この場合、引き戸本体の戸首は、引き戸本体の上辺部において上方に突出すると共にスライド方向に沿って延設された突出部である。戸首は構造物の開口部がもつ戸首嵌込溝に嵌り込むため、引き戸本体のこれの厚み方向への転倒が防止される。隙間閉鎖手段の基体は、遮音部材を保持すると共に戸首の少なくとも一部を形成する。従って遮音部材を保持する隙間閉鎖手段の基体を利用して引き戸の転倒が防止される。
【０００９】
（３）様相３に係る引き戸は、様相１または２において、前記作動部は、前記引き戸本体が開放されるに伴い前記上側隙間を形成する方向に前記遮音部材を付勢するバネ部材と、前記引き戸本体が閉鎖されるに伴い前記上側隙間を低減または閉鎖させる方向に前記遮音部材を作動させる作動体とを備えていることを特徴とする。この場合、引き戸本体が開放されるに伴い、バネ部材は、上側隙間を形成する方向に遮音部材を付勢する。これにより引き戸本体が開放されるとき、引き戸本体のスライド抵抗が軽減される。引き戸本体が閉鎖されるに伴い、上側隙間を低減または閉鎖させる方向に作動体は遮音部材を作動させる。これにより引き戸本体の閉鎖時において遮音性が確保される。
【００１０】
（４）様相４に係る引き戸は、様相１〜３のうちのいずれかにおいて、前記引き戸本体は、第１空間に対面する第１表面と、第２空間に対面すると共に第１表面に背向する第２表面とをもち、前記引き戸本体の厚み方向に沿った断面で、前記引き戸本体の上辺部において前記遮音部材よりも前記第１表面側に形成された第１上面開口と、前記上辺部において前記遮音部材よりも前記第２表面側に形成された第２上面開口と、前記第１上面開口および前記第２上面開口を連通させることにより前記第１空間と前記第２空間とを連通させる上側連通路とをもつことを特徴とする。この場合、引き戸が閉鎖されているときであっても、第１上面開口、第２上面開口および上側連通路により、第１空間と第２空間とを連通させる通気性が確保される。
【００１１】
（５）様相５に係る引き戸は、様相１〜３のうちのいずれかにおいて、前記引き戸本体は、第１空間に対面する第１表面と、第２空間に対面すると共に第１表面に背向する第２表面とをもち、前記引き戸本体の厚み方向に沿った断面で、前記引き戸本体の上辺部において前記遮音部材よりも前記第１表面側および前記第２表面側のうちのいずれか一方側に形成された上面開口と、前記引き戸本体のうち前記第１表面側および第２表面側のいずれか他方側に形成された表面開口と、前記上面開口および前記表面開口を連通させることにより前記第１空間と前記第２空間とを連通させる上側連通路とをもつことを特徴とする。この場合、引き戸が閉鎖されているときであっても、上面開口、表面開口および上側連通路により、第１空間と第２空間とを連通させる通気性が確保される。
【００１２】
（６）様相６に係る引き戸は、様相１〜５のうちのいずれかにおいて、前記隙間閉鎖手段は、更に、前記引き戸本体の閉鎖時において、前記引き戸本体の下辺部と前記構造物の前記開口部を形成する形成面との間における下側隙間を低減または閉鎖する遮音部材と、前記引き戸本体の閉鎖に伴い前記下側隙間を低減または閉鎖させる方向に前記遮音部材を移動させる作動部とをもつことを特徴とする。この場合、引き戸本体が閉鎖されるに伴い、下側隙間を低減または閉鎖させる方向に作動部は遮音部材を作動させる。これにより引き戸本体の閉鎖時において遮音性が確保される。
【００１３】
（７）様相７に係る引き戸は、様相６において、前記引き戸本体の厚み方向に沿った断面で、前記引き戸本体の下辺部において前記遮音部材よりも前記第１表面側および前記第２表面側のうちのいずれか一方側に形成された下面開口と、前記引き戸本体のうち前記第１表面側および第２表面側のいずれか他方側に形成された表面開口と、前記下面開口および前記表面開口を連通させることにより前記第１空間と前記第２空間とを連通させる下側連通路とをもつことを特徴とする。この場合、引き戸が閉鎖されているときであっても、下面開口、表面開口および下側連通路により、第１空間と第２空間とを連通させる通気性が確保される。
【発明の効果】
【００１４】
各様相によれば、引き戸本体の閉鎖時において、引き戸本体の上側隙間が遮音部材で低減または閉鎖されるため、引き戸本体の上側隙間における遮音性を高めることができる。
【００１５】
更に様相４，５，７によれば、引き戸本体の閉鎖時において、遮音性を向上させつつ、第１空間と第２空間とを連通させる通気性が確保される。
【発明を実施するための最良の形態】
【００１６】
構造物としては、家屋やビル等の建築物、車両等の移動体を例示できる。構造物の開口部としては、人が出入りする開口部（出入口）が挙げられるが、人が出入りしない換気用の開口部でも良い。構造物の開口部には戸枠が取り付けられている形態でも、戸枠が取り付けられていない形態でも良い。
【００１７】
引き戸は、構造物の開口部をスライドにより開閉するものである。引き戸としては、スライドにより開閉するものであれば、戸車式引き戸、上吊り式引き戸の他に、ふすま、障子などを含むことができる。引き戸としては、複数枚１組のものでも、単数のものでも良い。
【００１８】
引き戸は、引き戸本体と、引き戸本体に設けられた隙間閉鎖手段とを備えている。隙間閉鎖手段は、引き戸本体の閉鎖時において、引き戸本体の上辺部または戸首と構造物の開口部を形成する形成面との間における上側隙間を低減または閉鎖する遮音部材と、引き戸本体の閉鎖に伴い上側隙間を低減または閉鎖させる方向に遮音部材を移動させる作動部とをもつ。遮音部材としては例えばゴムや樹脂等の有機高分子系材料を基材として形成できる。
【００１９】
引き戸本体としては戸首をもつ形態が例示される。戸首は、引き戸本体の上辺部において上方に突出すると共にスライド方向に沿って延設された突出部である。構造物の開口部としては、引き戸本体の戸首を嵌め込むと共にスライド方向に沿って延設された戸首嵌込溝をもつ形態が例示される。戸首嵌込溝としては、構造物の開口部の形成面に直接的に形成されていても良いし、あるいは、構造物の開口部に取り付けられる戸枠に形成されていても良い。戸首は構造物の開口部がもつ戸首嵌込溝に嵌り込むため、引き戸本体のこれの厚み方向への転倒が防止される。
【００２０】
隙間閉鎖手段としては、戸首の少なくとも一部を形成すると共に遮音部材を保持する基体をもつ形態が例示される。すなわち、隙間閉鎖手段の基体としては、遮音部材を保持すると共に、戸首の少なくとも一部を形成する形態が例示される。この場合、遮音部材を保持する隙間閉鎖手段の基体を利用して引き戸の転倒が防止される。
【００２１】
作動部としては、引き戸本体が開放されるに伴い上側隙間を形成する方向に遮音部材を付勢するバネ部材と、引き戸本体が閉鎖されるに伴い上側隙間を低減または閉鎖させる方向に遮音部材を作動させる作動体とを備えている形態が例示される。この場合、引き戸本体が開放されるに伴い、バネ部材は、上側隙間を形成する方向に遮音部材を付勢する。引き戸本体が閉鎖されるに伴い、上側隙間を低減または閉鎖させる方向に作動体は遮音部材を作動させる。
【００２２】
また本発明によれば、引き戸本体は、第１空間に対面する第１表面と、第２空間に対面すると共に第１表面に背向する第２表面とをもち、引き戸本体の厚み方向に沿った断面で、引き戸本体の上辺部において遮音部材よりも第１表面側に形成された第１上面開口と、上辺部において遮音部材よりも第２表面側に形成された第２上面開口と、第１上面開口および第２上面開口を連通させることにより第１空間と第２空間とを連通させる上側連通路とをもつ形態が例示される。この場合、引き戸が閉鎖されるとき、引き戸は第１空間と第２空間とを仕切る。ここで引き戸が閉鎖されているにもかかわらず、第１上面開口、第２上面開口および上側連通路により、第１空間と第２空間とを連通させる通気性が確保される。この場合、引き戸本体の上辺部において第１上面開口および第２上面開口が形成されているため、通常の状態では、使用者は、第１上面開口および第２上面開口の存在を視認することができない。故に、使用者に通気孔の存在を認識させずとも、第１空間と第２空間とを連通させる通気性が確保される。
【００２３】
また本発明によれば、引き戸本体は、第１空間に対面する第１表面と、第２空間に対面すると共に第１表面に背向する第２表面とをもち、引き戸本体の厚み方向に沿った断面で、引き戸本体の上辺部において遮音部材よりも第１表面側および第２表面側のうちのいずれか一方側に形成された上面開口と、引き戸本体のうち第１表面側および第２表面側のいずれか他方側に形成された表面開口と、上面開口および表面開口を連通させることにより第１空間と第２空間とを連通させる上側連通路とをもつ形態が例示される。この場合、上面開口、表面開口および上側連通路により、第１空間と第２空間とを連通させる通気性が確保される。
【実施例１】
【００２４】
以下、本発明を具体化した実施例１について図１〜図４を参照して具体的に説明する。本実施例は、直動方向にスライドして開閉させる方式の引き戸１に適用したものである。各図は概念図であり、細部構造の寸法などまで規定するものではない。
【００２５】
図１に示すように、家屋や集合住宅等の構造物２において人が出入りする開口部２０が形成されている。開口部２０には、四角枠形状をなす戸枠３が設けられている。戸枠３は、構造物２の開口部２０の上側において横方向に延設された上枠３１と、開口部２０の下側において横方向に延設された下枠３２と、上枠３１および下枠３２を繋ぐ縦方向に延設された互いに対向する２個の側枠３３とを有する。
【００２６】
図１に示すように、引き戸１は２枚１組で戸枠３に取り付けられている。但し、引き戸１は１枚１組であっても良い。引き戸１は正面視で縦長の四角形状をなしている。引き戸１の主体をなす引き戸本体１０は、戸枠３の上枠３１に対面する上辺部１１と、戸枠３の下枠３２に対面する下辺部１２と、互いに対向する２個の側辺部１３とをもつ。２枚１組の引き戸１は、締結ロック３６により締結されてスライド不能となる。
【００２７】
図３に示すように、引き戸１の主体をなす引き戸本体１０は、上辺部１１および下辺部１２の他に、第１空間１４ｘに対面する第１表面１４と、第２空間１５ｘに対面する第２表面１５とをもつ。図３に示すように、引き戸１の戸首（後述する上側ケース４１）と戸枠３の上枠３１との間には、隙間量ΔＥ１をもつ上側隙間９１が形成されている。図４に示すように、引き戸１の下辺部１２と戸枠３の下枠３２との間には、隙間量ΔＥ２をもつ下側隙間９２が形成されている。上側隙間９１および下側隙間９２が形成されているため、引き戸１を開閉させるときの抵抗が低減されている。
【００２８】
図２に示すように、上側隙間閉鎖手段４は、引き戸本体１０の上辺部１１側に設けられている。上側隙間閉鎖手段４は、上辺部１１よりも上方（矢印Ｕ１方向）に向けて移動可能に設けられた上側遮音部材４０と、上側遮音部材４０を上辺部１１よりも上方（矢印Ｕ１方向）に向けて移動させる上側作動部４５とをもつ。図２に示すように、上側作動部４５は、上辺部１１に配置され上側収容室４１ｒをもつ上側ケース４１（上側基体）と、引き戸１が開放されるに伴い上側隙間９１を形成する方向に上側遮音部材４０を付勢する上側バネ部材４２と、引き戸１が閉鎖されるに伴い上側隙間９１を低減または閉鎖させる方向（矢印Ｕ１方向）に上側遮音部材４０を作動させる上側作動体４３とを備えている。
【００２９】
図３に示すように、構造物２の開口部２０に取り付けられている戸枠３の上枠３１には、凹状の戸首嵌込溝３８が形成されている。戸首嵌込溝３８は引き戸本体１０のスライド方向に沿って延設されている。上側隙間閉鎖手段４の上側ケース４１は、金属（例えばアルミニウム合金系、鉄系、チタン系等）または硬質樹脂等の材料で形成されており、上側ケース４１の下半分４１ｄは、引き戸本体１０の上辺部１１の内部に埋設されている。図３において、上側隙間閉鎖手段４の上側ケース４１の幅（引き戸１の厚み方向における寸法）は、Ｌ１として示される。上側ケース４１の幅Ｌ１は、引き戸本体１０の厚み寸法ＴＡよりも小さく設定されている。上側ケース４１の上端部４１ｕは、引き戸本体１０の上辺部１１よりも上方に向けて高さＨ１で突出している。上側ケース４１の上部分は、戸枠３の上枠３１の凹状の戸首嵌込溝３８に着脱可能に嵌め込まれている。これにより上側ケース４１は戸首として作用することができる。戸首作用により、引き戸本体１０は矢印Ｒ１，Ｒ２方向（図３参照，引き戸本体１０の厚み方向に沿った方向）への転倒が防止されており、引き戸本体１０が戸枠３から離脱しないようにされている。なお図３に示すように、戸首嵌込溝３８は溝側面３８ａと溝天井面３８ｃとをもち、溝側面３８ａおよび溝天井面３８ｃは構造物の開口部を形成する形成面としての役割を担う。戸首嵌込溝３８の深さはＨ２として示され，その幅はＬ２（Ｌ２＞Ｌ１）として示されている。
【００３０】
図３に示すように、上側遮音部材４０は、上側ケース４１の収容室４１ｒに保持された金属または硬質樹脂等の硬質材料で形成された上側硬質部材４０１と、上側ケース４１の収容室４１ｒに上側硬質部材４０１に上向きに保持されたゴムまたは樹脂等の軟質材料で可撓性を有するように形成された上側軟質部材４０２とで形成されている。なお、上側軟質部材４０２は、戸枠３の上枠３１の溝天井面３８ｃに対する弾性変形性および密着シール性を高めるべく、中空室４０３を有する。但し、中空室４０３を廃止し、上側軟質部材４０２の内部に多孔質体を埋設した構造としても良いし、あるいは、中実構造としても良い。
【００３１】
本実施例によれば、図２に示すように、上側バネ部材４２は、複数の曲成部４２ｍを並設状態に有するように蛇行状に曲成された板バネで形成されており、上側ケース４１の収容室４１ｒの延設方向に沿って、つまり上辺部１１に沿って延設されている。曲成部４２ｍには付設部４２ｋが複数個取り付けられている。上側作動体４３は、上側ケース４１の収容室４１ｒの端部において矢印Ｓ１，Ｓ２方向（引き戸本体１０の上辺部１１に沿った方向）に移動可能に設けられている。ここで、上側バネ部材４２の先端部４２ａと上側作動体４３とが接触係合していると共に、上側作動体４３の突起状の上側操作子４６が引き戸本体１０の引き戸側辺部１３よりも外方に突出するように設けられている。
【００３２】
引き戸１が戸開放方向（矢印Ａ２方向）にスライドされているときには、図２に示すように、上側作動体４３の上側操作子４６が戸枠３の側枠３３から離間するため、上側バネ部材４２の付勢力により上側操作子４６が引き戸本体１０の側辺部１３よりも外方（矢印Ｐ２方向）に突出して露出している。これに対して、引き戸１が戸閉鎖方向（矢印Ａ１方向）にスライドされて閉鎖されるときには、図示しないものの、上側作動体４３の上側操作子４６が戸枠３の側枠３３に当接するため、上側操作子４６が退避方向（矢印Ｐ１方向）に押圧されて引き戸本体１０の側辺部１３内に退避される。すると、上側作動体４３が退避方向（矢印Ｓ１方向）に移動し、ひいては上側バネ部材４２の曲成部４２ｍが直状に近づくように弾性変形される。この結果、上側バネ部材４２は上側硬質部材４０１および上側軟質部材４０２を上方（矢印Ｕ１方向）に移動させる。これにより引き戸１が閉鎖されているときには、図３の仮想線に示すように、上側軟質部材４０２が戸枠３の上枠３１の溝天井面３８ｃに圧接し、溝天井面３８ｃと上側ケース４１の上端部４１ｕとの間の上側隙間９１が閉鎖され、引き戸本体１０の戸首および上辺部１１における遮音性および遮光性が確保される。
【００３３】
また、引き戸１が戸開放方向（矢印Ａ２方向）にスライドされて開放されると、図２に示すように、戸枠３の側枠３３から上側作動体４３の上側操作子４６が離間する。このため上側作動体４３が上側バネ部材４２を拘束する程度が低減され、上側バネ部材４２の付勢力により上側操作子４６が引き戸本体１０の側辺部１３よりも外方に突出する。つまり、上側操作子４６は露出方向（矢印Ｐ２方向）に側辺部１３よりも突出する。更に、上記したように上側バネ部材４２の曲成部４２ｍが元の形状に復元されるため、上側バネ部材４２は上側硬質部材４０１および上側軟質部材４０２を下方（矢印Ｕ２方向）に移動させ、上側軟質部材４０２は上枠３１の溝天井面３８ｃから離間する。このため引き戸１を開放させる抵抗が低減される。
【００３４】
更に本実施例によれば、図１および図２に示すように、引き戸本体１０の下辺部１２側には下側隙間閉鎖手段５が設けられている。下側隙間閉鎖手段５は、上側隙間閉鎖手段４と同一の機構を備えており、上下を逆にしたものである。図２に示すように、下側隙間閉鎖手段５は、下辺部１２よりも下方（矢印Ｄ１方向）に向けて移動可能に設けられた下側遮音部材５０と、下側遮音部材５０を下辺部１２よりも下方（隙間閉鎖方向、矢印Ｄ１方向）に向けて移動させる下側作動部５５とをもつ。
【００３５】
図２に示すように、下側作動部５５は、引き戸１の下辺部１２に配置され下側収容室５１ｒをもつ下側ケース５１（下側基体）と、引き戸１が開放されるに伴い下側隙間９２を形成する方向に下側遮音部材５０を付勢する下側バネ部材５２と、引き戸１が閉鎖されるに伴い下側隙間９２を閉鎖させる方向（矢印Ｄ１方向）に下側遮音部材５０を作動させる下側作動体５３とを備えている。
【００３６】
図４に示すように、下側隙間閉鎖手段５は、引き戸本体１０の下辺部１２において、これの厚み方向の中央域よりも偏芯して第２表面１５側に配置されている。即ち、下側隙間閉鎖手段５の中心線ＭＤは、引き戸本体１０の厚み方向の中心線ＭＣに対してΔＭ偏芯している。従って、引き戸本体１０の下辺部１２には、その第１表面１４側に転動可能な戸車６が支持軸部６ｍを介して取り付けられている。引き戸本体１０がスライドされるとき、戸車６は戸枠３の下枠３２の案内レール部３２ｍに沿って転動する。
【００３７】
図４に示すように、下側遮音部材５０は、下側ケース５１の収容室５１ｒに保持された金属または硬質樹脂等の硬質材料で形成された下側硬質部材５０１と、下側ケース５１の収容室５１ｒに下側硬質部材５０１に下向きに保持されたゴムまたは樹脂等の軟質材料で形成された下側軟質部材５０２とで形成されている。なお、下側軟質部材５０２は、戸枠３の下枠３２への弾性変形性、密着シール性を高めるべく、中空室５０３を有する。
【００３８】
図２に示すように、下側バネ部材５２は、複数の曲成部５２ｍを並設状態に有するように蛇行状に曲成された板バネで形成されており、下側ケース５１の収容室５１ｒの延設方向に沿って、つまり下辺部１２に沿って延設されている。曲成部５２ｍには付設部５２ｋが取り付けられている。
【００３９】
下側作動体５３は、下側ケース５１の収容室５１ｒの端部において矢印Ｓ１方向（退避方向），矢印Ｓ２方向（露出方向）に移動可能に設けられている。ここで、下側バネ部材５２の先端部５２ａと下側作動体５３とが接触係合していると共に、下側作動体５３の突起状の下側操作子５６が引き戸本体１０の側辺部１３よりも外方（矢印Ｐ２方向）に突出するように設けられている。
【００４０】
引き戸１が戸開放方向（矢印Ａ２方向）にスライドされて開放されているときにおいては、図２に示すように、下側作動体５３の下側操作子５６が下側バネ部材５２の付勢力により引き戸本体１０の側辺部１３から露出する方向（矢印Ｐ２方向）に突出している。これに対して、引き戸１が戸閉鎖方向（矢印Ａ１方向）にスライドされて閉鎖されるときには、下側作動体５３の下側操作子５６が戸枠３の側枠３３に当接するため、下側操作子５６が退避方向（矢印Ｐ１方向）に移動される。すると、下側作動体５３が退避方向（矢印Ｓ１方向）に移動し、ひいては下側バネ部材５２の曲成部５２ｍが直状に近づくように弾性変形される。この結果、下側バネ部材５２は下側硬質部材５０１および下側軟質部材５０２を下方（隙間閉鎖方向、矢印Ｄ１方向）に移動させる。これにより下側軟質部材５０２が戸枠３の下枠３２に圧接し、下側隙間９２が閉鎖する。これにより引き戸本体１０の下辺部１２における遮音性が確保される。
【００４１】
上記したように引き戸１が開放されるときには、下側バネ部材５２の曲成部５２ｍが元の形状に復元しようとする。このため、図２に示すように、下側作動体５３の下側操作子５６が下側バネ部材５２の付勢力により引き戸本体１０の側辺部１３よりも外方（矢印Ｐ２方向）に突出する。更に、下側バネ部材５２の曲成部５２ｍが元の形状に復元されるため、下側バネ部材５２は下側硬質部材５０１および下側軟質部材５０２を上方（矢印Ｄ２方向）に移動させる。これにより下側軟質部材５０２が下枠３２から離れるため、引き戸１を開放させる抵抗が低減される。
【００４２】
以上説明したように本実施例によれば、引き戸本体１０の上辺部１１側には、引き戸本体１０の閉鎖時に上側ケース４１の上端部１１ｕよりも上方の上側隙間９１を閉鎖させる上側隙間閉鎖手段４が設けられている。この結果、引き戸１の閉鎖時には、上側隙間閉鎖手段４を構成する上側軟質部材４０２が戸枠３の上枠３１の溝天井面３８ｃに圧接し、上側隙間９１が閉鎖され、引き戸本体１０の戸首および上辺部１１における遮音性および遮光性が確保される。
【００４３】
更に本実施例によれば、引き戸本体１０の下辺部１２側には、引き戸本体１０の閉鎖時に下辺部１２よりも下方の下側隙間９２を閉鎖させる下側隙間閉鎖手段５が設けられている。同時に、下側隙間閉鎖手段５を構成する下側軟質部材５０２が戸枠３の下枠３２に圧接し、下側隙間９２が閉鎖され、下辺部１２における遮音性および遮光性が確保される。この結果、引き戸１の閉鎖時において、引き戸本体１０の上辺部１１（戸首）および下辺部１２の双方において、第１空間１４ｘと第２空間１５ｘとの間における音の伝播および光の伝播が抑えられ、遮音性および遮光性の高い引き戸１を提供することができる。
【００４４】
本実施例によれば、図３に示すように、上側隙間閉鎖手段４の基体としての上側ケース４１は、上側遮音部材４０を保持すると共に戸首を形成している。即ち、上側ケース４１は戸首として機能しており、上側ケース４１の上部分は戸枠３の上枠３１の戸首嵌込溝３８に嵌め込まれている。従って、上側隙間閉鎖手段４の基体としての上側ケース４１を戸首として有効利用することにより、引き戸１のこれの厚み方向への転倒を防止している。
【００４５】
本実施例によれば、引き戸本体１０の下辺部１２側に設けられている下側隙間閉鎖手段５は、下辺部１２側を補強している。引き戸本体１０の上辺部１１側に設けられている上側隙間閉鎖手段４は、上辺部１１側を補強している。これにより引き戸本体１０が強化されており、反りが発生する条件で使用されるときであっても、引き戸本体１０の反りが抑制されている。
【実施例２】
【００４６】
図５および図６は本発明を具体化した実施例２を示す。本実施例は実施例１と基本的には同様の構成、作用効果を有する。共通する部位に共通の符号を付する。図５および図６（引き戸本体１０の厚み方向に沿った断面）に示すように、引き戸本体１０の上辺部１１においては、上側遮音部材４０よりも第１表面１４側に第１上面開口６１が上向きに形成されていると共に、上側遮音部材４０よりも第２表面１５側に第２上面開口６２が上向きに形成されている。更に、第１上面開口６１および第２上面開口６２を連通させる上側連通路６３が引き戸本体１０の内部に形成されている。上側連通路６３により、第１空間１４ｘと第２空間１５ｘとを連通させる。なお、図５に示すように、第１上面開口６１、第２上面開口６２および上側連通路６３は、断面でほぼ凹形状をなしている。
【００４７】
引き戸１が閉鎖されているとき、引き戸１は第１空間１４ｘと第２空間１５ｘとを仕切る。ここで、引き戸本体１０の上辺部１１において第１上面開口６１および第２上面開口６２が形成されているため、通常の状態では、使用者は、第１上面開口６１および第２上面開口６２の存在を視認することができない。故に、引き戸１が閉鎖されているときであっても、使用者に通気孔の存在を認識させずとも、第１空間１４ｘと第２空間１５ｘとを連通させる通気性（図５において矢印Ｘ１方向の通気性）が確保される。更に通気性を確保しつつ遮光性も確保される。
【００４８】
更に本実施例によれば、図６に示すように、引き戸本体１０の第１表面１４において下部側に形成された横向きの表面開口７１と、引き戸本体１０の下辺部１２に形成された下向きの下面開口７２と、表面開口７１および下面開口７２を連通させることにより第１空間１４ｘと第２空間１５ｘとを連通させる下側連通路７３とが形成されている。この結果、第１空間１４ｘと第２空間１５ｘとを連通させる通気性が一層確保される。更に下面開口７２は下向きであるため、第１空間１４ｘまたは第２空間１５ｘの光を透過させず、遮光性も確保される。
【００４９】
本実施例によれば、図５に示すように、上側隙間閉鎖手段４の基体としての上側ケース４１は、上側遮音部材４０を保持すると共に、戸首を形成している。即ち、上側ケース４１は戸首として機能し、上側ケース４１の上部分は戸枠３の上枠３１の戸首嵌込溝３８に嵌め込まれている。このように上側隙間閉鎖手段４の基体としての上側ケース４１を戸首として有効利用することにより、引き戸１のこれの厚み方向への転倒を防止している。
【実施例３】
【００５０】
図７は本発明を具体化した実施例３を示す。本実施例は実施例２と基本的には同様の構成、作用効果を有する。共通する部位に共通の符号を付する。図７に示すように、引き戸本体１０の内部には内部連通路６４が設けられている。内部連通路６４は下側連通路７３および上側連通路６３を引き戸本体１０の内部において互いに連通させている。この場合、第１空間１４ｘと第２空間１５ｘとを連通させる通気性が一層確保され易い。
【００５１】
ところで、使用条件によっては、第１空間１４ｘと第２空間１５ｘとの間に大きな温度差または湿度差がかなり存在するときがある。この場合、第１表面１４および第２表面１５における温度差または湿度差に起因して、引き戸本体１０に反りが発生するおそれがある。このような場合であっても、内部連通路６４には第１空間１４ｘおよび第２空間１５ｘの雰囲気が進入する。故に、内部連通路６４の内部は、第１空間１４ｘと第２空間１５ｘとの中間の温度または湿度となり易い。この場合、引き戸本体１０に作用する急激な温度差または湿度差が軽減されるので、引き戸本体１０の反りが低減される利点が得られる。
【００５２】
このように引き戸１の閉鎖時において、引き戸１の遮音性を高めつつも、引き戸１で仕切られた第１空間１４ｘと第２空間１５ｘとの間における通気性が確保される。すなわち、第１上面開口６１、第２上面開口６２および上側連通路６３により、引き戸本体１０の上辺部１１側の通気性が確保される。更に、表面開口７１、第２下面開口７２および下側連通路７３により、引き戸本体１０の下辺部１２側の通気性が確保される。
【００５３】
しかも第１上面開口６１、第２上面開口６２および下面開口７２は使用者から視認できないため、使用者に通気孔を存在を認識させない。更に図７に示すように、第２表面１５に通気孔の開口が形成されていないため、第２表面１５における意匠を選択する自由度を拡大させることができる。
【００５４】
本実施例においても、上側隙間閉鎖手段４の基体としての上側ケース４１は、戸首として機能しており、上側ケース４１の上部分は戸枠３の上枠３１の戸首嵌込溝３８に嵌め込まれている。このように上側隙間閉鎖手段４の基体としての上側ケース４１を戸首として有効利用することにより、引き戸１のこれの厚み方向への転倒を防止している。
【実施例４】
【００５５】
図８は本発明を具体化した実施例４を示す。本実施例は実施例３と基本的には同様の構成、作用効果を有する。共通する部位に共通の符号を付する。以下、異なる部分を中心として説明する。引き戸本体１０の上辺部１１側には、引き戸本体１０の閉鎖時に上側ケース４１の上端部４１ｕよりも上方の上側隙間９１を閉鎖させる上側隙間閉鎖手段４が設けられている。この結果、第１空間１４ｘと第２空間１５ｘとの間における音の伝播が抑えられ、遮音性および遮光性の高い引き戸１を提供することができる。
【００５６】
図８は引き戸本体１０の厚み方向に沿った断面を示す。図８に示すように、引き戸本体１０の上辺部１１側において、引き戸本体１０の第２表面１５において形成された第２表面開口１７ｕと、上辺部１１において上側遮音部材４０よりも第１表面１４側に形成された第１上面開口６１と、第２表面開口１７ｕおよび第１上面開口６１を連通させる上側連通路６３とが形成されている。
【００５７】
本実施例によれば、図８に示すように、上側隙間閉鎖手段４の中心線ＭＵは、引き戸本体１０の厚み方向の中心線ＭＣよりも第２表面１５側にΔＭ３偏芯している。このため引き戸本体１０の上辺部１１において、第１上面開口６１を第１表面１４側に寄せて形成することができる。
【００５８】
本実施例においても、図８に示すように、上側隙間閉鎖手段４の基体としての上側ケース４１は、戸首として機能しており、上側ケース４１の上部分は戸枠３の上枠３１の戸首嵌込溝３８に嵌め込まれている。本実施例においても、引き戸本体１０の内部には内部連通路６４が設けられている。内部連通路６４は下側連通路（図示せず）および上側連通路６３を連通する。
【実施例５】
【００５９】
図９は本発明を具体化した実施例５を示す。本実施例は実施例１と基本的には同様の構成、作用効果を有する。共通する部位に共通の符号を付する。以下、異なる部分を中心として説明する。引き戸本体１０の閉鎖時に上辺部１１よりも上方の上側隙間９１を閉鎖させる上側隙間閉鎖手段４が、引き戸本体１０の上辺部１１側に埋設されている。上側隙間閉鎖手段４の基体としての上側ケース４１の上端部４１ｕは、上辺部１１と同じ高さとされている。
【実施例６】
【００６０】
図１０は本発明を具体化した実施例６を示す。本実施例は実施例１と基本的には同様の構成、作用効果を有する。共通する部位に共通の符号を付する。以下、異なる部分を中心として説明する。図１０に示すように、引き戸本体１０の上辺部１１側には、戸首１ｒが形成されている。戸首１ｒは戸枠３の上枠３１の戸首嵌込溝３８に嵌め込まれており、引き戸本体１０の矢印Ｒ１，Ｒ２方向への転倒を防止している。戸首１ｒは、引き戸本体１０の厚み方向の中央部分を上辺部１１の上方に向けて寸法Ｈ２突出させることにより形成されており、戸首嵌込溝３８の溝天井面３８ｃに対面する上面１ｓと、溝側面３８ａに対面する側面１ｔ，１ｕとをもつ。従って、戸首１ｒは引き戸本体１０それ自体で形成されており、上辺部１１に沿って延設されている。図１０に示すように、引き戸本体１０の厚み方向において戸首１ｒの側方に位置するように、引き戸本体１０の上辺部１１において戸首１ｒの根元部に形成された溝１ｖの内部に上側隙間閉鎖手段４が埋設されている。
【実施例７】
【００６１】
図１１は実施例７を示す。本実施例は実施例１と基本的には同様の構成、作用効果を有する。共通する部位には共通の符号を付する。以下、異なる部分を中心として説明する。図１１に示すように、下側隙間閉鎖手段５Ｅは、引き戸本体１０の下辺部１２側に設けられている。下側隙間閉鎖手段５Ｅは、下辺部１２よりも下方（隙間閉鎖方向、矢印Ｄ１方向）に向けて移動可能に設けられた下側遮音部材５０Ｅと、下側遮音部材５０Ｅを下辺部１２よりも下方（矢印Ｄ１方向）に向けて移動させる下側作動部５５Ｅとをもつ。
【００６２】
図１１に示すように、下側遮音部材５０Ｅは、金属または硬質樹脂等の硬質材料で形成された下側硬質部材５０１Ｅと、下側硬質部材５０１Ｅに下向きに保持されたゴムまたは樹脂等の軟質材料で形成された下側軟質部材５０２Ｅと、下側硬質部材５０１Ｅに設けられた軸部５０５と、下側硬質部材５０１Ｅに設けられた受圧部５０６とを備えている。
【００６３】
下側作動部５５Ｅは、軸部５０５に保持されたコイル状の下側バネ部材５２Ｅと、下側隙間９２を閉鎖させる方向に下側遮音部材５０Ｅを下方（矢印Ｄ１方向）に作動させる下側作動体５３Ｅと、下側作動体５３Ｅの傾斜面５０７と受圧部５０６との間に設けられた球状の係合体５０９とを備えている。なお、下側バネ部材５２Ｅは、下側隙間９２を形成する方向に下側遮音部材５０Ｅを上方（矢印Ｄ２方向）に持ち上げる。
【００６４】
引き戸１がスライドされて閉鎖されると、下側作動体５３Ｅが図略の戸枠に押圧されて退避方向（矢印Ｐ１方向）に移動する。このため係合体５０９を介して受圧部５０６が下方（矢印Ｄ１方向）に移動し、下側軟質部材５０２Ｅを戸枠３の下枠３２に圧接させ、下側隙間９２を閉鎖する。これにより引き戸本体１０の下辺部１２側における遮音性および遮光性が確保される。引き戸１がスライドされて開放されると、下側作動体５３Ｅがこれに付設されているバネ５１０Ｅの付勢力により露出方向（矢印Ｐ２方向）に移動する。このため下側バネ部材５２Ｅは、下側遮音部材５０Ｅを上方（矢印Ｄ２方向）に持ち上げ、下側隙間９２を形成する。
【００６５】
なお、図示はしないものの、上側隙間閉鎖手段も下側隙間閉鎖手段５Ｅと同様の構成とされている。そのほか、本発明は上記し且つ図面に示した実施例のみに限定されるものではなく、前述したように、構造物２の開口部２０には戸枠３が取り付けられていなくても良い等、要旨を逸脱しない範囲内で適宜変更して実施できるものである。
【産業上の利用可能性】
【００６６】
本発明はトイレ室、勉強部屋、寝室、客室、居間、業務室、オーディオ室、コンピュータ室等といった遮音性が特に要請される室に取り付けられる引き戸に利用することができる。
【図面の簡単な説明】
【００６７】
【図１】実施例１に係り、戸枠に取り付けられている引き戸を開放している途中状態を模式的に示す正面図である。
【図２】実施例１に係り、引き戸本体に上側隙間閉鎖手段および下側隙間閉鎖手段を搭載した状態を模式的に示す構成図である。
【図３】実施例１に係り、上側隙間閉鎖手段付近を模式的に示す断面図である。
【図４】実施例１に係り、下側隙間閉鎖手段付近を模式的に示す断面図である。
【図５】実施例２に係り、上側隙間閉鎖手段付近を模式的に示す断面図である。
【図６】実施例２に係り、引き戸が２枚重ねられている状態を模式的に示す断面図である。
【図７】実施例３に係り、引き戸が２枚重ねられている状態を模式的に示す断面図である。
【図８】実施例４に係り、上側隙間閉鎖手段付近を模式的に示す断面図である。
【図９】実施例５に係り、上側隙間閉鎖手段付近を模式的に示す断面図である。
【図１０】実施例６に係り、上側隙間閉鎖手段付近を模式的に示す断面図である。
【図１１】実施例７に係り、引き戸本体の下辺部側に設けた下側隙間閉鎖手段を模式的に示す断面図である。
【符号の説明】
【００６８】
１は引き戸、１０は引き戸本体、１１は上辺部、１２は下辺部、１３は側辺部、１４は第１表面、１４ｘは第１空間、１５ｘは第２空間、１５は第２表面、１６は第１表面開口、１７は第２表面開口、２は構造物、２０は開口部、３は戸枠、３１は上枠、３２は下枠、３３は側枠、４は上側隙間閉鎖手段（隙間閉鎖手段）、４０は上側遮音部材、４１は上側ケース（上側基体）、４２は上側バネ部材、４３は上側作動体、４５は上側作動部、５は下側隙間閉鎖手段、５０は下側遮音部材、５１は下側ケース（下側基体）、５２は下側バネ部材、５３は下側作動体、５５は下側作動部、６１は第１上面開口、６２は第２上面開口、６３は上側連通路、７１は表面開口、７２は第２下面開口、７３は下側連通路、９１は上側隙間、９２は下側隙間を示す。
【図１】
2007314994.tif 000003
【図２】
2007314994.tif 000004
【図３】
2007314994.tif 000005
【図４】
2007314994.tif 000006
【図５】
2007314994.tif 000007
【図６】
2007314994.tif 000008
【図７】
2007314994.tif 000009
【図８】
2007314994.tif 000010
【図９】
2007314994.tif 000011
【図１０】
2007314994.tif 000012
【図１１】
2007314994.tif 000013